(57)【特許請求の範囲】
【請求項１】
シリンダとシリンジピストンを備えたシリンジを保持して前記シリンダに対して前記シリンジピストンを相対移動させるピストン駆動機構と、
このピストン駆動機構を制御する制御機構と、
医療画像撮像装置にデータを送信するデータ出力手段と、
前記シリンジに備えられたシリンジ情報を記録しているデータキャリア手段からシリンジ情報を受け取るシリンジ情報受領手段と、
を備え患者に薬液を注入する薬液注入装置のためのコンピュータプログラムであって、
前記データ出力手段に、薬液注入データを前記医療画像撮像装置に送信する処理を行わせ、
前記薬液注入データは、使用した薬液に関する情報、注入量、注入時間に対して注入速度を表した注入プロファイル、および注入時間に対して注入圧力を表したプロファイルからなる群から選ばれる少なくとも１つである、
コンピュータプログラム。
【請求項２】
さらに、
前記データ出力手段に、前記シリンジ情報を前記医療画像撮像装置に送信する処理を行わせる、請求項１に記載のコンピュータプログラム。
【請求項３】
さらに、
前記薬液注入装置と医療画像撮像装置の撮像動作とを連動させて薬液注入動作を実施する処理を行わせる、請求項１または２に記載のコンピュータプログラム。
【請求項４】
前記医療画像撮像装置が、ＣＴ装置、ＭＲＩ装置、ＰＥＴ装置、超音波診断装置、ＣＴアンギオ装置、またはＭＲＡ装置である、請求項１〜３のいずれか一項に記載のコンピュータプログラム。
【請求項５】
前記シリンジ情報受領手段が、ＩＣチップのデータを読み取るＲＦ通信機である、請求項１〜４のいずれか一項に記載のコンピュータプログラム。
【請求項６】
さらに、
前記シリンジ情報と患者の検査内容とを照合して、正しいシリンジか否かの判断を行う、請求項１〜５のいずれか一項に記載のコンピュータプログラム。
【請求項７】
シリンダとシリンジピストンを備えたシリンジを保持して前記シリンダに対して前記シリンジピストンを相対移動させるピストン駆動機構と、
このピストン駆動機構を制御する制御機構と、
医療画像撮像装置にデータを送信するデータ出力手段と、
を備え患者に薬液を注入する薬液注入装置のためのコンピュータプログラムであって、
前記データ出力手段に、薬液注入データを前記医療画像撮像装置に送信する処理を行わせ、
前記薬液注入データは、使用した薬液に関する情報、注入量、注入時間に対して注入速度を表した注入プロファイル、および注入時間に対して注入圧力を表したプロファイルからなる群から選ばれる少なくとも１つである、
コンピュータプログラム。
【請求項８】
シリンダとシリンジピストンを備えたシリンジを保持して前記シリンダに対して前記シリンジピストンを相対移動させるピストン駆動機構と、
このピストン駆動機構を制御する制御機構と、
外部にデータを送信するデータ出力手段と、
を備える薬液注入装置。
【発明の詳細な説明】
【技術分野】
【０００１】
本発明は、医療用透視撮像装置と薬液注入装置を有し、薬液が注入される患者から透視画像を撮像して表示するシステムに関する。
【背景技術】
【０００２】
現在、医療用透視撮像装置としては、Ｘ線ＣＴ（Ｃｏｍｐｕｔｅｄ  Ｔｏｍｏｇｒａｐｈｙ）スキャナ、ＭＲＩ（Ｍａｇｎｅｔｉｃ  Ｒｅｓｏｎａｎｃｅ  Ｉｍａｇｉｎｇ）装置、ＰＥＴ(Ｐｏｓｉｔｒｏｎ  Ｅｍｉｓｓｉｏｎ  Ｔｏｍｏｇｒａｐｈｙ)装置、超音波診断装置、ＣＴアンギオ装置、ＭＲＡ（ＭＲ  Ａｎｇｉｏ）装置等が知られている。
【０００３】
従来、医療用透視撮像装置（以下、単に撮像装置という。）により撮影された画像情報は、医師が操作する画像ビューワに表示したり、ファイリング室の画像サーバに記録したりする画像記録再生システムが実用化されている（例えば、特許文献１（特開２００３−１１４９３３号公報）参照）。
【０００４】
撮像装置を使用するとき、良好な透視画像を得るため、またはその他の目的のため、患者に造影剤、放射線物質、生理食塩水などの薬液を注入することがしばしば行われ、これらの薬液を自動注入するための注入装置も実用化されている。その際に使用されるシリンジ種別の取り違え防止のために、従来から、薬剤データを記憶したＩＣチップのようなデータキャリア手段を有するシリンジとデータ受信手段を有する注入装置とを備えたシステムなどが提案されている（例えば、特許文献２（特許第３３２３２０４号公報）参照）。
【０００５】
特許文献３（特開２００５−１９８８０８号公報）には、注入データをコンピュータに送り、ディスプレイ上に透視画像と共に注入条件を表示するシステムが提案されている。しかし、病院の管理サーバとのデータの送受については記載されていない。
【先行技術文献】
【特許文献】
【０００６】
【特許文献１】特開２００３−１１４９３３号公報
【特許文献２】特許第３３２３２０４号公報
【特許文献３】特開２００５−１９８８０８号公報
【発明の概要】
【発明が解決しようとする課題】
【０００７】
本発明は、このような従来の問題に鑑みてなされたものであり、画像データおよび注入データを一元的に管理し、次の検査または治療に役立てるシステムを提供することを目的とする。
【課題を解決するための手段】
【０００８】
本発明は、次の事項に関する。
【０００９】
１．  （ｉ）医療画像撮像装置、および（ｉｉ）シリンダとシリンジピストンを備えたシリンジを保持して、前記シリンダに対して前記シリンジピストンを相対移動させるピストン駆動機構と、このピストン駆動機構を制御する制御機構とを備え、患者に薬液を注入する注入装置と、（ｉｉｉ）患者情報を保有する病院管理サーバとを備える医療画像システムにおいて、
前記注入装置は、（ａ）前記病院管理サーバと通信し、薬液注入データを前記病院管理サーバに送信するデータ出力手段
を有することを特徴とする医療画像システム。
【００１０】
２．  前記注入装置は、（ｂ）前記シリンジに備えられたシリンジ情報を記録しているデータキャリア手段からシリンジ情報を受け取るシリンジ情報受領手段を有し、
前記データ出力手段は、さらに前記シリンジ情報を前記病院管理サーバに送信する機能を有することを特徴とする上記１記載の医療画像システム。
【００１１】
３．  前記薬液注入データが、使用した薬液に関する情報、注入量、注入時間に対して注入速度を表した注入プロファイル、および注入時間に対して注入圧力を表したプロファイルからなる群から選ばれる少なくとも１つであることを特徴とする上記１または２記載の医療画像システム。
【００１２】
４．  前記注入装置は、（ｃ）前記医療画像撮像装置から少なくとも撮像条件情報を受け取る手段を有し、
前記データ出力手段は、さらに撮像条件情報を前記病院管理サーバに送信する機能を有することを特徴とする上記１〜３のいずれかに記載の医療画像システム。
【００１３】
５．  前記医療画像撮像装置がＸ線ＣＴ装置である場合に、撮像条件情報が、放射線量および放射線照射タイミングの少なくとも１つを含む曝射条件を含むことを特徴とする上記４記載の医療画像システム。
【００１４】
６．  上記１〜５のいずれかの医療画像システムで使用される注入装置。
【発明の効果】
【００１５】
本発明の医療画像システムでは、注入装置から実施した注入データ、および必要により撮像装置からの撮像条件データを病院システムに簡便に送ることができるために、データを一元的に管理できる。そのため、ＣＴ画像等の透視画像に加えて、造影剤等の薬液注入条件および透視画像撮像条件等のデータのすべてを、医師が操作する画像ビューワに表示することができる。従って、前回の注入条件との比較、または次回の注入条件の決定を容易に行うことができる。
【図面の簡単な説明】
【００１６】
【図１】本発明の医療画像システムの１例を示す図である。
【図２】注入装置の１例の外観を示す斜視図である。
【図３】注入装置の注入ヘッドを示す斜視図である。
【図４】本発明の医療画像システムを説明するブロック図である。
【発明を実施するための形態】
【００１７】
本発明の１実施形態を図面を参照して以下に説明する。図１に示すように、この透視撮像システム１０００は、注入装置１００と透視撮像装置であるＣＴ装置３００を有しており、この注入装置１００とＣＴ装置３００とが有線または無線接続されている。ＣＴ装置３００は、スキャナ本体３０１と制御ユニット３０２を有している。
【００１８】
注入装置１００は、例えば図２に示すように、スタンド１１１に連結されたアーム１１２の上部に注入ヘッド１１０が装着され、別体となっている注入制御ユニット１０１に、ケーブル１０２によって接続されている。注入制御ユニット１０１は、メイン操作パネル１０３、表示部１０４、さらにケーブル１０８で接続されたハンドユニット１０７等を備えている。
【００１９】
この注入ヘッド１１０は、図３に示すように、ヘッド本体１１３の上面にシリンジ保持機構として、２つの凹部１１４が形成されており、この凹部１１４に２つのシリンジ２００Ｃおよび２００Ｐが装着される。シリンジ２００Ｃ、Ｐは、シリンダ２１０とピストン２２０を有している。例えばシリンジ２００Ｃには、薬液としてＣＴ用の造影剤が充填され、シリンジ２００Ｐには生理食塩水が充填される。ヘッド本体１１３に装着された２つのシリンジの先端は、連結チューブ２３０により接続される。また、独立に移動できるピストン駆動機構１３０によりそれぞれのシリンジのピストン２２０が押されて、造影剤の注入、生理食塩水の注入、加えて両者の同時注入が可能になる。
【００２０】
ピストン駆動機構および制御機構等の一般的構成は、公知の構成を採用することができる。
【００２１】
好ましい実施形態では、図３に示すように、シリンジ２１０は、シリンジ情報を記録しているＩＣチップ（ＲＦタグ）等のデータキャリア手段５１０が貼付または埋め込まれている。注入ヘッド１１０には、データキャリア手段と通信してシリンジ情報を受け取るＲＦ通信機等のシリンジ情報受領手段５２０が埋め込まれている。
【００２２】
図４は、この実施形態の医療画像システム全体を示すブロック図である。注入装置１００は、ＣＴ装置３００および病院管理サーバ６００も通信可能に接続されている。
【００２３】
注入装置１００は、内部にデータ出力手段１７０を有しており、制御ユニット１０１または注入ヘッド１１０のどちらに備えられていてもよい。そして、データ出力手段１７０は内部的に、演算部１６０と通信部１５０を有し、通信部１５０を介して、病院管理サーバ６００と通信する。病院管理サーバ６００には、患者本人の情報を含むカルテ情報のデータベース６１０が保存されている。
【００２４】
注入装置１００のデータ出力手段１７０は、薬液注入を実施した後、薬液注入データを通信部１５０を介して、病院管理サーバ６００に送信する。ここで、薬液注入データとしては、使用した薬液に関する情報（例えば、薬液の種類、濃度、製造メーカー名等）、注入量、注入時間、注入速度（特に、注入時間に対して注入速度を表した注入プロファイル）、注入圧力（特に、注入時間に対して注入圧力を表したプロファイル）等から選ばれるデータが含まれる。さらに、病院管理サーバ６００は、注入データを受け取り、データベース６１０に記録する。一方、ＣＴ装置３００にて撮像された医療画像は、注入装置を介して、または直接病院管理サーバに送られ、病院管理サーバ６００は、ＣＴ検査結果をデータベース６１０に記録する。従って、データベース６１０に、ＣＴ検査結果と共に、注入条件も記録される。
【００２５】
また、好ましい形態では、ＣＴ装置３００から、注入装置にＣＴ撮像条件データ（放射線量、放射線照射タイミング等の曝射条件等）が送信され、注入装置のデータ出力手段は、病院管理サーバ６００に送信されるデータとして、撮像条件情報としてＣＴ撮像条件データ（放射線量、放射線照射タイミング等の曝射条件等）も付加して送信する。ＣＴ撮像条件データは、場合によっては、ＣＴ装置３００から直接病院管理サーバに送信されてもよい。また、ＣＴ画像は、ＣＴ装置から直接に病院管理サーバ６００に送信されてもよいし、注入装置１００のデータ出力手段を介して、注入条件等とともに病院管理サーバに送信されてもよい。
【００２６】
この実施形態では、前述のとおりシリンジ情報受領手段５２０を有していてもよい。データキャリア手段５１０としては、ＩＣチップの他、バーコード等でもよく、シリンジ情報受領手段５２０は対応して、ＩＣチップと通信可能な送受信機およびバーコードリーダー等が使用される。シリンジ情報としては、シリンジの製造者、容量、製品名、ロットＮｏ.等の他、必要により薬液の種類、濃度等の薬液情報を含む。
【００２７】
これらのシリンジ情報は、演算部１６０に送られ、演算部では患者の検査内容と照合して、正しいシリンジか否かの判断を行う。
【００２８】
注入装置１００は、ＣＴ装置３００と間で、ＣＴ撮像条件および薬液注入条件のデータの送受信可能であったり、さらにＣＴ撮影時に連動して注入が可能になっていてもよい。
【００２９】
以上のようなシステムによれば、注入装置１００がデータ出力機能を有していることにより、注入条件が全て病院管理サーバに保存されることになる。従って、医者が診断の際に、病院管理サーバと通信可能なモニターで読影を行うとき、ＣＴ画像と共に注入条件も表示させ、確認することができる。従って、前回の注入条件との比較、または次回の注入条件の決定を容易に行うことができる。
【００３０】
また、近年、社会的に医療行為の開示が求められるようになってきているが、本発明のシステムでは、検査条件の全てが病院管理サーバで一元的に管理されるので、このような要求にも容易に対応できる。
【００３１】
以上、説明した中で、本発明のシステムを構成する「手段」および「部」は、例えば、ＣＰＵ(Central Processing Unit)、ＲＯＭ(Read Only Memory)、ＲＡＭ(Random Access Memory)、Ｉ／Ｆ(Interface)ユニット等を有するハードウェア、これらハードウェアを動作させるためのソフトウェア、センサー等により構成され、それらは専用の機構であっても、また他の手段を兼ねていても良いし、さらにコンピュータシステム上の論理的な構成であってもよい。これらの具体的構成は、本明細書を参照することにより、当業者は容易に構成することができる。
【００３２】
また、Ｘ線ＣＴ装置を例に説明したが、ＭＲＩ装置、ＰＥＴ装置、超音波診断装置、ＣＴアンギオ装置、ＭＲＡ装置等の撮像装置でも同様に適用することができる。撮像条件情報は、その装置特有の設定条件であり、それがデータとして病院管理サーバに送られる。薬液としては、それぞれに適した造影剤、生理食塩水等である。
【００３３】
また、従来から病院の管理システムとしては、外来患者の受付および会計処理を行う医療情報システム「ＨＩＳ」（Hospital Information System）、および放射線部における放射線診療情報システム「ＲＩＳ」（Radiology Information System）が知られており、一般に、前者は画像データのサーバ管理、受付業務、診療費等の事務処理システムであり、「ＲＩＳ」は、放射線検査と診療のためのシステムである。本発明において、病院管理サーバは、これらのＨＩＳ、ＲＩＳ、およびそれらを連携させた病院内情報システムのいずれかのシステムの一部であることが好ましい。
【符号の説明】
【００３４】
１００  注入装置
１０１  注入制御ユニット
１０２  ケーブル
１０３  メイン操作パネル
１０４  表示部
１０７  ハンドユニット
１０８  ケーブル
１１０  注入ヘッド
１１１  スタンド
１１２  アーム
１１３  ヘッド本体
１１４  凹部
１３０  ピストン駆動機構
１５０  通信部
１６０  演算部
１７０  データ出力手段
２００Ｃ、２００Ｐ  シリンジ
２１０  シリンダ
２２０  ピストン
２３０  連結チューブ
３００  ＣＴ装置
３０１  スキャナ本体
３０２  制御ユニット
５１０  データキャリア手段
５２０  シリンジ情報受領手段
６００  病院管理サーバ
６１０  データベース
【図１】
0005992590.tif 000002
【図２】
0005992590.tif 000003
【図３】
0005992590.tif 000004
【図４】
0005992590.tif 000005